(57)【特許請求の範囲】
【請求項１】
第一記憶部と、
住宅における一以上の各電気機器の使用電力量を示す電力情報を定期的に取得して前記第一記憶部に時系列に記憶する取得部と、
前記第一記憶部に記憶されている各前記電力情報に基づいて、前記住宅において一以上の所定の各時間帯に使用され得る電気機器の組み合わせを生成する生成部と、
前記各時間帯の終了時に、当該時間帯において前記取得部が取得した各前記電力情報に基づく前記住宅において当該時間帯に使用された電気機器の組み合わせと、前記生成部が生成した、前記住宅において当該時間帯に使用され得る電気機器の組み合わせと、の乖離の度合いに基づいて、当該時間帯における前記住宅の居住者の生活リズムが異常であったか否かを判定する判定部と、
前記判定部によって前記居住者の生活リズムが異常であったと判定される度に、当該判定結果を、前記居住者の観察者が利用可能な所定の宛先へ通知する通知部と、
季節に関連する季節情報を取得する季節取得部と、
を備え、
前記取得部は、前記住宅を含む地域に含まれる一以上の各住宅における一以上の各電気機器の使用電力量を示す地域電力情報を定期的に取得して、前記季節取得部が取得した季節情報と対応付けて時系列に前記第一記憶部に記憶し、
前記生成部は、前記第一記憶部において同じ季節情報と対応付けて記憶されている各前記地域電力情報に基づいて、前記地域に含まれる各住宅において当該季節情報に関連する季節の前記各時間帯に使用され得る電気機器の組み合わせを生成し、
前記判定部は、前記各時間帯の終了時に、前記季節取得部に季節情報を取得させ、当該時間帯において前記取得部が取得した各前記地域電力情報に含まれる前記住宅における各電気機器の使用電力量に基づく、前記住宅において当該時間帯に使用された電気機器の組み合わせと、前記生成部が生成した、前記地域に含まれる各住宅において当該取得させた季節情報に関連する季節の当該時間帯に使用され得る電気機器の組み合わせと、の乖離の度合いに基づいて、前記判定を行う生活リズム判定装置。
【請求項２】
前記生成部は、前記第一記憶部に記憶されている所定の期間中に取得された各前記電力情報に基づいて、前記住宅において前記期間中の前記各時間帯に使用され得る電気機器の組み合わせを生成し、
前記判定部は、前記期間中の前記各時間帯の終了時に、前記期間中の当該時間帯において前記取得部が取得した各前記電力情報に基づく前記住宅において前記期間中の当該時間帯に使用された電気機器の組み合わせと、前記生成部が生成した、前記住宅において前記期間中の当該時間帯に使用され得る電気機器の組み合わせと、の乖離の度合いに基づいて、前記判定を行う請求項１に記載の生活リズム判定装置。
【請求項３】
前記期間には、平日に対応する期間及び休日に対応する期間が含まれている請求項２に記載の生活リズム判定装置。
【請求項４】
前記期間には、所定の季節に対応する期間が含まれている請求項２又は３に記載の生活リズム判定装置。
【請求項５】
第二記憶部を更に備え、
前記判定部は、前記判定を行う度に当該判定結果を前記第二記憶部に記憶する請求項１から４の何れか一項に記載の生活リズム判定装置。
【請求項６】
請求項５に記載の生活リズム判定装置と、
前記第二記憶部に記憶されている各前記判定結果を取得する結果取得部と前記結果取得部が取得した各前記判定結果を報知する結果報知部とを備える端末装置と、
を備える生活リズム判定システム。
【発明の詳細な説明】
【技術分野】
【０００１】
本発明は、住宅における各電気機器の使用電力量に基づいて、居住者の生活リズムを把握する生活リズム判定装置及び生活リズム判定システムに関するものである。
【背景技術】
【０００２】
従来から、独居老人や要介護者等が居住する住宅における各電気機器の使用電力量を遠隔監視し、各電気機器の使用電力量に基づいて居住者の生活リズムを把握する技術が知られている。
【０００３】
例えば、特許文献１には、老人や要介護者等が居住する契約者宅から取得した２４時間分の使用電力量と、事前に記憶しておいた当該契約者宅における平均的な２４時間分の使用電力量と、の比較結果に基づき、当該契約者宅の居住者の生活状況に異常があるか否かを判定することが開示されている。
【０００４】
また、特許文献２には、電力需要居住者の使用電力量を一定期間（例えば、３０分以内）毎に計測し、当該計測した使用電力量の一日分の時系列変化を示す使用電力量変化データパターン図を作成することが開示されている。また、多数の電力需要居住者の使用電力量に基づいて、電力需要居住者が健康維持状態であるときの一日分の使用電力量の時系列変化を示す健康障害発生状態変化パターン図を予め作成することが開示されている。
【０００５】
そして、上記使用電力量変化データパターン図と上記健康障害発生状態変化パターン図との比較結果に基づいて、電力需要居住者が健康維持状態からはずれたか否かを判定することが開示されている。
【先行技術文献】
【特許文献】
【０００６】
【特許文献１】特開２００３−６３３７号公報
【特許文献２】特開２０１２−１２８５０２号公報
【発明の概要】
【発明が解決しようとする課題】
【０００７】
しかし、上記のような従来の判定方法では、一日分の使用電力量に基づいて居住者の生活リズムを日単位でしか把握できなかった。このため、上記判定後すぐに当該居住者の体調が悪化する等して、当該居住者の生活リズムに異常が見られたとしても、当該居住者の観察者は、翌日に上記判定が行われるまでのほぼ一日間、当該居住者の生活リズムが異常であることを把握することができなかった。その結果、翌日に上記判定が行われ、観察者が当該居住者の生活リズムが異常であることを把握する頃には、当該居住者の体調が顕著に悪化している虞があった。
【０００８】
本発明は、上記事情に鑑みてなされた発明であり、居住者の生活リズムを迅速に把握可能な生活リズム判定装置及び生活リズム判定システムを提供することを目的とする。
【課題を解決するための手段】
【０００９】
本発明による生活リズム判定装置は、第一記憶部と、住宅における一以上の各電気機器の使用電力量を示す電力情報を定期的に取得して前記第一記憶部に時系列に記憶する取得部と、前記第一記憶部に記憶されている各前記電力情報に基づいて、前記住宅において一以上の所定の各時間帯に使用され得る電気機器の組み合わせを生成する生成部と、前記各時間帯の終了時に、当該時間帯において前記取得部が取得した各前記電力情報に基づく前記住宅において当該時間帯に使用された電気機器の組み合わせと、前記生成部が生成した、前記住宅において当該時間帯に使用され得る電気機器の組み合わせと、の乖離の度合いに基づいて、当該時間帯における前記住宅の居住者の生活リズムが異常であったか否かを判定する判定部と、前記判定部によって前記居住者の生活リズムが異常であったと判定される度に、当該判定結果を、前記居住者の観察者が利用可能な所定の宛先へ通知する通知部と、季節に関連する季節情報を取得する季節取得部と、を備え、前記取得部は、前記住宅を含む地域に含まれる一以上の各住宅における一以上の各電気機器の使用電力量を示す地域電力情報を定期的に取得して、前記季節取得部が取得した季節情報と対応付けて時系列に前記第一記憶部に記憶し、前記生成部は、前記第一記憶部において同じ季節情報と対応付けて記憶されている各前記地域電力情報に基づいて、前記地域に含まれる各住宅において当該季節情報に関連する季節の前記各時間帯に使用され得る電気機器の組み合わせを生成し、前記判定部は、前記各時間帯の終了時に、前記季節取得部に季節情報を取得させ、当該時間帯において前記取得部が取得した各前記地域電力情報に含まれる前記住宅における各電気機器の使用電力量に基づく、前記住宅において当該時間帯に使用された電気機器の組み合わせと、前記生成部が生成した、前記地域に含まれる各住宅において当該取得させた季節情報に関連する季節の当該時間帯に使用され得る電気機器の組み合わせと、の乖離の度合いに基づいて、前記判定を行う。
【００１０】
本構成によれば、各時間帯の終了時に、当該時間帯において取得部が取得した各電力情報に基づき、住宅において当該時間帯に使用された電気機器の組み合わせが把握される。
【００１１】
また、第一記憶部に記憶されている各電力情報に基づいて、上記住宅において各時間帯に使用され得る電気機器の組み合わせが生成される。これにより、当該組み合わせから、上記居住者の生活リズムが正常である場合に、上記居住者が各時間帯に使用すると考えられる電気機器の組み合わせを把握することができる。
【００１２】
このため、判定部は、各時間帯の終了時に、上記居住者が当該時間帯に実際に使用した電気機器の組み合わせと、上記居住者の生活リズムが正常である場合に上記居住者が当該時間帯に使用すると考えられる電気機器の組み合わせと、が一致し、これら二つの組み合わせに乖離がなければ、当該時間帯における上記居住者の生活リズムが正常であったことを適切に判定することができる。一方、判定部は、上記二つの組み合わせが一致せず、上記二つの組み合わせに何らかの乖離があれば、その乖離の度合いに基づいて、当該時間帯における上記居住者の生活リズムが異常であったことを適切に判定することができる。
【００１３】
更に、本構成によれば、判定部によって上記居住者の生活リズムが異常であったと判定される度に、当該判定結果が、当該居住者の観察者が利用可能な所定の宛先へ通知される。これにより、観察者は、上記居住者の生活リズムが異常になった時間帯の終了後、迅速に、上記居住者の生活リズムが異常になったことを把握することができる。
居住者が居住する住宅（以下、住宅Ｘ）から取得した電力情報の数が少なければ、生成部によって、住宅Ｘから取得した各電力情報に基づいて、住宅Ｘにおいて各時間帯に使用され得る電気機器の組み合わせが精度良く生成されない場合がある。
しかし、本構成によれば、このような場合に、第一記憶部において同じ季節情報と対応付けられている各地域電力情報に基づいて、住宅Ｘを含む地域に含まれる各住宅において、当該季節情報に関連する季節の各時間帯に使用され得る電気機器の組み合わせを生成することができる。
上記地域に含まれる各住宅には住宅Ｘが含まれているので、当該生成された組み合わせは、住宅Ｘにおいて当該季節情報に関連する季節の各時間帯に使用され得る電気機器の組み合わせを示しているといえる。
このため、判定部は、上記のように住宅Ｘから取得した電力情報の数が少ない場合であっても、各時間帯の終了時に、季節取得部に季節情報を取得させ、当該時間帯の終了時に取得された地域電力情報に含まれる住宅Xにおける各電気機器の使用電力量に基づく、住宅Ｘにおいて当該時間帯に使用された電気機器の組み合わせと、住宅Ｘにおいて当該取得させた季節情報に関連する季節の各時間帯に使用され得る電気機器の組み合わせと、の乖離の度合いに基づいて、当該季節の各時間帯における住宅Ｘの居住者の生活リズムを適切に判定することができる。
【００１４】
また、前記生成部は、前記第一記憶部に記憶されている所定の期間中に取得された各前記電力情報に基づいて、前記住宅において前記期間中の前記各時間帯に使用され得る電気機器の組み合わせを生成し、前記判定部は、前記期間中の前記各時間帯の終了時に、前記期間中の当該時間帯において前記取得部が取得した各前記電力情報に基づく前記住宅において前記期間中の当該時間帯に使用された電気機器の組み合わせと、前記生成部が生成した、前記住宅において前記期間中の当該時間帯に使用され得る電気機器の組み合わせと、の乖離の度合いに基づいて、前記判定を行うようにしてもよい。
【００１５】
居住者が各時間帯に使用する電気機器の組み合わせは、期間によって異なると考えられる。例えば、当該組み合わせは、平日であるか、休日であるか、或いは、どの季節であるかによって異なると考えられる。
【００１６】
しかし、本構成によれば、第一記憶部に記憶されている所定の期間中に取得された各電力情報のみに基づいて、居住者が居住する住宅において当該期間中の各時間帯に使用され得る電気機器の組み合わせが生成される。これにより、当該組み合わせから、上記居住者の生活リズムが正常である場合に、上記居住者が当該期間中の各時間帯に使用すると考えられる電気機器の組み合わせを把握することができる。
【００１７】
このため、判定部は、当該期間中の各時間帯の終了時に取得された電力情報に基づく上記期間中の当該時間帯に使用された電気機器の組み合わせと、上記居住者が当該期間中の各時間帯に使用すると考えられる電気機器の組み合わせと、の乖離の度合いに基づいて、当該期間中の各時間帯における上記居住者の生活リズムを適切に判定することができる。
【００１８】
また、前記期間には、平日に対応する期間及び休日に対応する期間が含まれていることが好ましい。
【００１９】
居住者が各時間帯に使用する電気機器の組み合わせは、平日であるか休日であるかによって異なると考えられる。
【００２０】
しかし、本構成によれば、第一記憶部に記憶されている平日（休日）の期間中に取得された各電力情報に基づいて、上記居住者が居住する住宅において平日（休日）の期間中の各時間帯に使用され得る電気機器の組み合わせが生成される。これにより、当該組み合わせから、上記居住者の生活リズムが正常である場合に、上記居住者が平日（休日）の期間中の各時間帯に使用すると考えられる電気機器の組み合わせを把握することができる。
【００２１】
このため、判定部は、平日（休日）の期間中の各時間帯の終了時に取得された電力情報に基づく平日（休日）の期間中の各時間帯に使用された電気機器の組み合わせと、上記居住者が平日（休日）の期間中の各時間帯に使用すると考えられる電気機器の組み合わせと、の乖離の度合いに基づいて、平日（休日）の期間中の各時間帯における上記居住者の生活リズムを適切に判定することができる。
【００２２】
また、前記期間には、所定の季節に対応する期間が含まれていることが好ましい。
【００２３】
居住者が各時間帯に使用する電気機器の組み合わせは、季節によって異なると考えられる。
【００２４】
しかし、本構成によれば、第一記憶部に記憶されている所定の季節に対応する期間中に取得された各電力情報に基づいて、上記居住者が居住する住宅において上記季節に対応する期間中の各時間帯に使用され得る電気機器の組み合わせが生成される。これにより、当該組み合わせから、上記居住者の生活リズムが正常である場合に、上記居住者が上記季節に対応する期間中の各時間帯に使用すると考えられる電気機器の組み合わせを把握することができる。
【００２５】
このため、判定部は、上記季節に対応する期間中の各時間帯の終了時に取得された電力情報に基づく上記季節に対応する期間中の各時間帯に使用された電気機器の組み合わせと、上記居住者が上記季節に対応する期間中の各時間帯に使用すると考えられる電気機器の組み合わせと、の乖離の度合いに基づいて、上記季節に対応する期間中の各時間帯における上記居住者の生活リズムを適切に判定することができる。
【００３１】
また、第二記憶部を更に備え、前記判定部は、前記判定を行う度に当該判定結果を前記第二記憶部に記憶するようにしてもよい。
【００３２】
本構成によれば、観察者は、各時間帯の終了後も、第二記憶部に記憶されている各判定結果を参照することで、過去の各時間帯における居住者の生活リズムの変遷を把握することができる。
【００３３】
また、本発明に係る生活リズム判定システムは、前記生活リズム判定装置と、前記第二記憶部に記憶されている各前記判定結果を取得する結果取得部と前記結果取得部が取得した各前記判定結果を報知する結果報知部とを備える端末装置と、を備える。
【００３４】
本構成によれば、結果報知部によって第二記憶部に記憶されている各判定結果が報知されるので、観察者は、端末装置を利用することで、第二記憶部に記憶されている各判定結果を容易に把握することができる。
【発明の効果】
【００３５】
本発明によれば、居住者の生活リズムを迅速に把握可能な生活リズム判定装置及び生活リズム判定システムを提供することができる。
【図面の簡単な説明】
【００３６】
【図１】生活リズム判定システムの概略構成図である。
【図２】第一記憶部に記憶された電力情報の一例を示す図である。
【図３】各時刻における各電気機器の使用電力量の平均値と各時間帯との関係を示すグラフである。
【図４】第三記憶部に記憶された住宅において各時間帯に使用され得る電気機器の組み合わせの一例を示す図である。
【図５】生活リズム判定装置の動作を示すフローチャートである。
【図６】第二実施形態において第三記憶部に記憶された、住宅において所定の期間中の各時間帯に使用され得る電気機器の組み合わせの一例を示す図である。
【図７】第三実施形態における生活リズム判定システムの概略構成図である。
【図８】第一記憶部に記憶された地域電力情報の一例を示す図である。
【図９】第三実施形態において第三記憶部に記憶された、地域に含まれる各住宅において季節情報に関連する季節の各時間帯に使用され得る電気機器Ｍの組み合わせの一例を示す図である。
【発明を実施するための形態】
【００３７】
（第一実施形態）
以下、本発明に係る生活リズム判定装置及び生活リズム判定システムの第一実施形態について説明する。図１は、生活リズム判定システム１００の概略構成図である。
【００３８】
図１に示すように、生活リズム判定システム１００は、インターネット等のネットワーク９と、住宅Ｈ１と、サーバー１（生活リズム判定装置）と、端末装置２と、を備えている。サーバー１は、住宅Ｈ１に配置された電力センサーＰＳ及び端末装置２とネットワーク９を介して通信可能に接続されている。
【００３９】
住宅Ｈ１は、一以上の電気機器と、主幹ブレーカーＢＫと、電力センサーＰＳと、を備えている。以下では、図１に示すように、住宅Ｈ１は、一以上の電気機器として、洗濯機Ｍ１、テレビＭ２、掃除機Ｍ３、炊飯器Ｍ４、及びエアコンＭ５を備えているものとして説明する。ただし、住宅Ｈ１が備える電気機器をこれらに限定する趣旨ではない。また、以下では、洗濯機Ｍ１、テレビＭ２、掃除機Ｍ３、炊飯器Ｍ４、及びエアコンＭ５を総称する場合、電気機器Ｍと記載する。
【００４０】
主幹ブレーカーＢＫは、住宅Ｈ１への配電線と住宅Ｈ１内の不図示の一以上の各コンセントとの間に設けられ、所定の電流値よりも大きい電流値の電流が流れたコンセントへの電力の供給を強制的に遮断する。
【００４１】
電力センサーＰＳは、各電気機器Ｍの使用電力量を定期的（例えば、３０分毎）に計測する。具体的には、電力センサーＰＳは、主幹ブレーカーＢＫを介して各コンセントへ供給される電力量を定期的に計測し、当該計測した電力量に基づいて、当該電力量の電力を使用した電気機器Ｍが、洗濯機Ｍ１、テレビＭ２、掃除機Ｍ３、炊飯器Ｍ４及びエアコンＭ５の何れであるかを識別する。電気機器Ｍの識別の方法は公知であるので、詳細な説明は省略する。
【００４２】
そして、電力センサーＰＳは、当該計測の都度、当該計測した各電気機器Ｍの使用電力量を示す電力情報をネットワーク９を介してサーバー１へ送信する。尚、主幹ブレーカーＢＫから何れのコンセントへも電力が供給されていなかった場合、電力センサーＰＳは、全ての電気機器Ｍの使用電力量が「０」であったことを示す電力情報をサーバー１へ送信する。
【００４３】
サーバー１は、通信部１６と、第一記憶部１７と、第二記憶部１８と、第三記憶部１９と、制御部１０と、を備えている。通信部１６、第一記憶部１７、第二記憶部１８及び第三記憶部１９は、不図示の制御バスを介して制御部１０と通信可能に接続されている。
【００４４】
通信部１６は、サーバー１が、住宅Ｈ１が備える電力センサーＰＳや端末装置２等の外部装置とネットワーク９を介して通信するための不図示の通信インターフェイス回路を備えている。
【００４５】
第一記憶部１７、第二記憶部１８及び第三記憶部１９は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の記憶装置によって構成されている。第一記憶部１７、第二記憶部１８及び第三記憶部１９は、それぞれ一台の記憶装置で構成してもよいし、一台以上の記憶装置が有する記憶領域を三以上の記憶領域に分割し、当該分割後の各記憶領域を、第一記憶部１７、第二記憶部１８、及び第三記憶部１９として利用するようにしてもよい。
【００４６】
制御部１０は、サーバー１の各部の動作を制御する。具体的には、制御部１０は、所定の演算処理を実行する不図示のＣＰＵ（Ｃｅｎｔｒａｌ  Ｐｒｏｃｅｓｓｉｎｇ  Ｕｎｉｔ）、所定の制御プログラムが記憶されたＥＥＰＲＯＭ等の不図示の不揮発性メモリー、データを一時的に記憶するための不図示のＲＡＭ（Ｒａｎｄｏｍ  Ａｃｃｅｓｓ  Ｍｅｍｏｒｙ）、現在日時を計時する不図示のタイマー回路、及びこれらの周辺回路等を備えている。
【００４７】
制御部１０は、不揮発性メモリー等に記憶された制御プログラムをＣＰＵに実行させることにより、図１の実線矩形部に示すように、取得部１１、生成部１２、判定部１３、及び通知部１４として動作する。
【００４８】
取得部１１は、住宅Ｈ１における各電気機器Ｍの使用電力量を示す電力情報を定期的に取得して、当該取得した各電力情報を第一記憶部１７に時系列に記憶する。
【００４９】
具体的には、通信部１６は、住宅Ｈ１の電力センサーＰＳによって定期的に送信される電力情報を受信する。取得部１１は、通信部１６が電力情報を受信する度に、通信部１６から当該電力情報を取得し、当該電力情報の送信元の識別情報と、当該電力情報を受信した日付と、当該電力情報を受信した時刻と、当該電力情報と、を対応付けて第一記憶部１７に記憶する。
【００５０】
尚、取得部１１は、例えば、通信部１６が受信した電力情報の通信パケットに含まれる電力センサーＰＳのＭＡＣアドレス等、当該電力情報の送信元である住宅Ｈ１を識別可能な情報を、当該電力情報の送信元の識別情報として取得する。
【００５１】
ただし、これに限らず、電力センサーＰＳが、当該電力情報の送信元の識別情報として、例えば住宅Ｈ１の住所等の住宅Ｈ１を識別可能な情報を電力情報に含めて送信するようにしてもよい。そして、取得部１１が、当該電力情報に含まれている当該住宅Ｈ１を識別可能な情報を、当該電力情報の送信元の識別情報として取得するようにしてもよい。
【００５２】
図２は、第一記憶部１７に記憶された電力情報の一例を示す図である。例えば、通信部１６が住宅Ｈ１の電力センサーＰＳによって送信された電力情報を２０１５年８月１日土曜日の０時１５分に受信したとする。また、当該電力情報は、全ての電気機器Ｍの使用電力量が「０」であったことを示す「Ｍ：０」であったとする。また、以下では、住宅Ｈ１の識別情報が「Ｈ１」であるとする。
【００５３】
この場合、取得部１１は、図２に示すように、取得した電力情報の送信元である住宅Ｈ１の識別情報「Ｈ１」と、当該電力情報を取得した日付「２０１５／８／１（土）」と、当該電力情報を取得した時刻「０：１５」と、当該電力情報「Ｍ：０」と、を対応付けて記憶する。
【００５４】
次に、通信部１６が、住宅Ｈ１の電力センサーＰＳによって送信された電力情報を３０分後の０時４５分に受信したとする。当該電力情報も、全ての電気機器Ｍの使用電力量が「０」であったことを示す「Ｍ：０」であったとする。この場合も、取得部１１は、図２に示すように、当該電力情報の送信元である住宅Ｈ１の識別情報「Ｈ１」と、当該電力情報を取得した日付「２０１５／８／１（土）」と、当該電力情報を取得した時刻「０：４５」と、当該電力情報「Ｍ：０」と、を対応付けて記憶する。
【００５５】
その後、２０１５年８月１日土曜日の９時１５分に、通信部１６が住宅Ｈ１の電力センサーＰＳによって送信された電力情報を受信したとする。当該電力情報は、洗濯機Ｍ１の使用電力量が「Ｐ１」であり、掃除機Ｍ３の使用電力量が「Ｐ３」であることを示す「Ｍ１：Ｐ１、Ｍ３：Ｐ３」であったとする。
【００５６】
この場合、取得部１１は、図２の四行目に示すように、当該電力情報の送信元である住宅Ｈ１の識別情報「Ｈ１」と、当該電力情報を取得した日付「２０１５／８／１（土）」及び時刻「９：１５」と、当該電力情報「Ｍ１：Ｐ１、Ｍ３：Ｐ３」と、を対応付けて記憶する。
【００５７】
図１に参照を戻す。生成部１２は、第一記憶部１７に記憶されている各電力情報に基づいて、住宅Ｈ１において一以上の所定の各時間帯に使用され得る電気機器Ｍの組み合わせを生成する。
【００５８】
具体的には、生成部１２は、第一記憶部１７において住宅Ｈ１の識別情報「Ｈ１」と対応付けて記憶されている各電力情報を参照し、各時刻における各電気機器Ｍの使用電力量の平均値を算出する。図３は、各時刻における各電気機器Ｍの使用電力量の平均値と各時間帯Ｒ１〜Ｒ５との関係を示すグラフである。
【００５９】
例えば、図３の最上部に示すグラフは、生成部１２が、第一記憶部１７において住宅Ｈ１の識別情報「Ｈ１」と対応付けて記憶されている各電力情報を参照して、各時刻における洗濯機Ｍ１の使用電力量の平均値を算出し、当該算出した平均値を、横軸が時刻、縦軸が電力量の二次元座標にプロットした例を示している。同様に、図３の残りの四個のグラフは、上から順に、各時刻におけるテレビＭ２、掃除機Ｍ３、炊飯器Ｍ４及びエアコンＭ５の使用電力量の平均値を、上記二次元座標にプロットした例を示している。
【００６０】
次に、生成部１２は、予め定められた一以上の各時間帯Ｒ１〜Ｒ５において、使用電力量の平均値が０ではない電気機器Ｍの組み合わせを、住宅Ｈ１において各時間帯Ｒ１〜Ｒ５に使用され得る電気機器Ｍの組み合わせとして生成する。
【００６１】
尚、各時間帯Ｒ１〜Ｒ５は、サーバー１の管理者や住宅Ｈ１の居住者を観察する観察者等によって、パソコン等の外部装置を用いて編集された後、不揮発性メモリー等に予め記憶されている。
【００６２】
以下では、時間帯Ｒ１は、６時３０分から７時３０分までの時間帯、時間帯Ｒ２は、８時３０分から９時３０分までの時間帯に定められているとする。時間帯Ｒ３は、１１時３０分から１３時００分までの時間帯、時間帯Ｒ４は、１８時００分から１９時３０分までの時間帯、時間帯Ｒ５は、２２時００分から２３時００分までの時間帯に定められているとする。
【００６３】
例えば、図３では、時間帯Ｒ１において、テレビＭ２及び炊飯器Ｍ４の使用電力量の平均値は０ではない。このため、生成部１２は、住宅Ｈ１において時間帯Ｒ１に使用され得る電気機器Ｍの組み合わせＣ１１「Ｍ２、Ｍ４」を生成する。
【００６４】
同様にして、生成部１２は、住宅Ｈ１において時間帯Ｒ２に使用され得る電気機器Ｍの組み合わせＣ１２「Ｍ１、Ｍ３」を生成し、住宅Ｈ１において時間帯Ｒ３に使用され得る電気機器Ｍの組み合わせＣ１３「Ｍ２、Ｍ５」を生成し、住宅Ｈ１において時間帯Ｒ４に使用され得る電気機器Ｍの組み合わせＣ１４「Ｍ２、Ｍ５」を生成する。
【００６５】
尚、時間帯Ｒ５において、電気機器Ｍ１〜Ｍ５の使用電力量の平均値は、全て０となっており、使用電力量の平均値が０でない電気機器Ｍが存在しない。このため、生成部１２は、住宅Ｈ１において時間帯Ｒ５に使用され得る電気機器Ｍの組み合わせＣ１５「なし」を生成する。
【００６６】
また、生成部１２は、生成した住宅Ｈ１における各時間帯Ｒ１〜Ｒ５に使用され得る電気機器Ｍの組み合わせＣ１１〜Ｃ１５を、当該生成のために参照した各電力情報の送信元の識別情報と、各時間帯Ｒ１〜Ｒ５の識別情報と、対応付けて第三記憶部１９に記憶する。
【００６７】
図４は、第三記憶部１９に記憶された住宅Ｈ１において各時間帯Ｒ１〜Ｒ５に使用され得る電気機器Ｍの組み合わせＣ１１〜Ｃ１５の一例を示す図である。例えば、図４に示すように、生成部１２は、上記の具体例で生成した組み合わせＣ１１「Ｍ２、Ｍ４」を、当該組み合わせＣ１１「Ｍ２、Ｍ４」の生成時に参照した各電力情報の送信元の識別情報「Ｈ１」と、時間帯Ｒ１の識別情報「Ｒ１：６：３０−７：３０」と、対応付けて第三記憶部１９に記憶する。
【００６８】
同様にして、生成部１２は、上記の具体例で生成した組み合わせＣ１２「Ｍ１、Ｍ３」、Ｃ１３「Ｍ２、Ｍ５」、Ｃ１４「Ｍ２、Ｍ５」、Ｃ１５「なし」を、電力情報の送信元の識別情報「Ｈ１」と、各時間帯Ｒ２、Ｒ３、Ｒ４、Ｒ５の識別情報「Ｒ２：８：３０−９：３０」、「Ｒ３：１１：３０−１３：００」、「Ｒ４：１８：００−１９：３０」、Ｒ５「Ｒ５：２２：００−２３：００」」と、対応付けて第三記憶部１９に記憶する。
【００６９】
尚、電気機器Ｍが居住者による使用を待機している待機状態にある場合にも、僅かながら電気機器Ｍに電力が供給されることがある。これを考慮して、待機状態にある電気機器Ｍに供給されると考えられる電力量を待機電力量として予め定め、不揮発性メモリー等に記憶してもよい。これに合わせて、生成部１２が、第一記憶部１７に記憶されている各電力情報に基づいて、各時間帯Ｒ１〜Ｒ５において、使用電力量の平均値が上記待機電力量よりも大きい電気機器Ｍの組み合わせを、住宅Ｈ１において各時間帯Ｒ１〜Ｒ５に使用され得る電気機器Ｍの組み合わせとして生成するようにしてもよい。
【００７０】
図１に参照を戻す。判定部１３は、各時間帯Ｒ１〜Ｒ５の終了時に、当該時間帯において取得部１１が取得した各電力情報に基づく住宅Ｈ１において当該時間帯に使用された電気機器Ｍの組み合わせと、生成部１２が生成した住宅Ｈ１において当該時間帯に使用され得る電気機器Ｍの組み合わせと、の乖離の度合いに基づいて、当該時間帯における住宅Ｈ１の居住者の生活リズムが異常であったか否かを判定する。
【００７１】
以下、各時間帯Ｒ１〜Ｒ５の終了時に判定部１３が行う判定を代表して、時間帯Ｒ１における判定について具体的に説明する。尚、第三記憶部１９には、図４に示すように、生成部１２が生成した住宅Ｈ１において時間帯Ｒ１に使用され得る電気機器Ｍの組み合わせＣ１１「Ｍ２、Ｍ４」が、住宅Ｈ１の識別情報「Ｈ１」及び時間帯Ｒ１の識別情報「Ｒ１：６：３０−７：３０」と対応付けて記憶されているとする。
【００７２】
判定部１３は、時間帯Ｒ１の終了時になると、時間帯Ｒ１において取得部１１が取得した各電力情報から、時間帯Ｒ１において使用電力量が「０」ではない電気機器Ｍの組み合わせを取得する。
【００７３】
例えば、取得部１１が、時間帯Ｒ１における６時４５分に、炊飯器Ｍ４の使用電力量が「Ｐ４」であることを示す電力情報「Ｍ４：Ｐ４」を取得したとする。また、取得部１１が、時間帯Ｒ１における７時１５分に、テレビＭ２の使用電力量が「Ｐ２」であり、炊飯器Ｍ４の使用電力量が「Ｐ４」であることを示す電力情報「Ｍ２：Ｐ２、Ｍ４：Ｐ４」を取得したとする。
【００７４】
この場合、判定部１３は、時間帯Ｒ１の終了時になると、時間帯Ｒ１において取得部１１が取得した二個の電力情報から、時間帯Ｒ１において使用電力量が「０」ではないテレビＭ２と炊飯器Ｍ４の組み合わせ「Ｍ２、Ｍ４」を取得する。
【００７５】
そして、判定部１３は、当該取得した電気機器Ｍの組み合わせと、生成部１２が生成した住宅Ｈ１において時間帯Ｒ１に使用され得る電気機器Ｍの組み合わせＣ１１「Ｍ２、Ｍ４」、つまり、第三記憶部１９において住宅Ｈ１の識別情報「Ｈ１」及び時間帯Ｒ１の識別情報「Ｒ１：６：３０−７：３０」と対応付けて記憶されている電気機器Ｍの組み合わせＣ１１「Ｍ２、Ｍ４」と、の乖離の度合いを判断する。
【００７６】
例えば、上述のように、判定部１３は、時間帯Ｒ１の終了時に、使用電力量が「０」ではない電気機器Ｍの組み合わせ「Ｍ２、Ｍ４」を取得したとする。この場合、判定部１３は、当該取得した電気機器Ｍの組み合わせ「Ｍ２、Ｍ４」と住宅Ｈ１において時間帯Ｒ１に使用され得る電気機器Ｍの組み合わせＣ１１「Ｍ２、Ｍ４」とが一致しているので、乖離がないと判断する。
【００７７】
一方、判定部１３は、時間帯Ｒ１の終了時に、使用電力量が「０」ではない電気機器Ｍの組み合わせ「Ｍ２」を取得したとする。この場合、判定部１３は、当該取得した電気機器Ｍの組み合わせ「Ｍ２」と、住宅Ｈ１において時間帯Ｒ１に使用され得る電気機器Ｍの組み合わせＣ１１「Ｍ２、Ｍ４」と、に一の電気機器Ｍ４の乖離があると判断する。
【００７８】
また、判定部１３は、時間帯Ｒ１の終了時に、使用電力量が「０」ではない電気機器Ｍの組み合わせを取得できなかった場合は、二の電気機器Ｍ２、Ｍ４の乖離があると判断する。
【００７９】
ただし、図４に示す例とは異なり、生成部１２が生成した住宅Ｈ１において時間帯Ｒ１に使用され得る電気機器Ｍの組み合わせＣ１１が「なし」であったとする。この場合、判定部１３は、時間帯Ｒ１の終了時に、使用電力量が「０」ではない電気機器Ｍの組み合わせを取得できなかったときは、住宅Ｈ１において時間帯Ｒ１に使用され得る電気機器Ｍの組み合わせＣ１１「なし」が示す状況と一致しているので、乖離がないと判断する。
【００８０】
そして、判定部１３は、一以上の電気機器Ｍの乖離があると判断した場合、時間帯Ｒ１における住宅Ｈ１の居住者の生活リズムが異常であったと判定する。一方、判定部１３は、上記の判定において、乖離がないと判定した場合、時間帯Ｒ１における上記居住者の生活リズムが正常であったと判定する。
【００８１】
尚、これに限らず、判定部１３は、二以上の所定数の電気機器Ｍの乖離があると判断した場合に、各時間帯Ｒ１〜Ｒ５における住宅Ｈ１の居住者の生活リズムが異常であったと判定するようにしてもよい。また、各時間帯Ｒ１〜Ｒ５と同様にして、上記所定数を、パソコン等の外部装置を用いて編集できるようにしてもよい。
【００８２】
また、上述のように、生成部１２が、第一記憶部１７に記憶されている各電力情報に基づいて、各時間帯Ｒ１〜Ｒ５において、使用電力量の平均値が上記待機電力量よりも大きい電気機器Ｍの組み合わせを、住宅Ｈ１において各時間帯Ｒ１〜Ｒ５に使用され得る電気機器Ｍの組み合わせとして生成するようにしたとする。この場合、判定部１３が、各時間帯Ｒ１〜Ｒ５の終了時に、当該時間帯において取得部１１が取得した各電力情報から、使用電力量が上記待機電力量よりも大きい電気機器Ｍの組み合わせを、住宅Ｈ１において当該時間帯に使用された電気機器Ｍの組み合わせとして取得するようにしてもよい。
【００８３】
また、判定部１３は、各時間帯Ｒ１〜Ｒ５における住宅Ｈ１の居住者の生活リズムが異常であったか否かの判定結果を第二記憶部１８に記憶する。
【００８４】
具体的には、判定部１３が、２０１５年８月１日土曜日の時間帯Ｒ１の終了時に、時間帯Ｒ１における住宅Ｈ１の居住者の生活リズムが異常であったと判定したとする。この場合、判定部１３は、当該判定結果を示すメッセージ（例えば、「２０１５年８月１日土曜日の６時半から７時半の時間帯における住宅Ｈ１の居住者の生活リズムに異常が見られました。」）を第二記憶部１８に記憶する。
【００８５】
一方、判定部１３が、２０１５年８月１日土曜日の時間帯Ｒ１の終了時に、時間帯Ｒ１における住宅Ｈ１の居住者の生活リズムが正常であったと判定したとする。この場合、判定部１３は、当該判定結果を示すメッセージ（例えば、「２０１５年８月１日土曜日の６時半から７時半の時間帯における住宅Ｈ１の居住者の生活リズムは正常でした。」）を第二記憶部１８に記憶する。
【００８６】
図１に参照を戻す。通知部１４は、判定部１３によって住宅Ｈ１の居住者の生活リズムが異常であったと判定される度に、当該判定結果を住宅Ｈ１の居住者の観察者が利用可能な所定の宛先へ通知する。
【００８７】
具体的には、住宅Ｈ１の居住者の観察者が利用可能なメールアドレスや、ＳＮＳ（Ｓｏｃｉａｌ  Ｎｅｔｗｏｒｋｉｎｇ  Ｓｅｒｖｉｃｅ）において当該観察者が利用可能なホームページへメッセージを投稿するためのＵＲＬ等、当該観察者が利用可能な宛先を示す宛先情報が、不揮発性メモリーに予め記憶されている。
【００８８】
通知部１４は、判定部１３によって各時間帯Ｒ１〜Ｒ５における住宅Ｈ１の居住者の生活リズムが異常であったと判定される度に、通信部１６に、当該居住者の生活リズムが異常であったと判定した結果を示すメッセージを上記宛先情報が示す宛先へ送信させる。
【００８９】
次に、端末装置２について説明する。端末装置２は、通信部２４と、記憶部２５と、操作表示部２６と、制御部２０と、を備えている。
【００９０】
通信部２４は、端末装置２が、ネットワーク９を介して、サーバー１、不図示のメールサーバー及び不図示のＳＮＳサーバー等の外部装置と通信するための不図示の通信インターフェイス回路を備えている。
【００９１】
記憶部２５は、ＨＤＤやＳＳＤ等の記憶装置である。
【００９２】
操作表示部２６は、液晶ディスプレイ等の表示部２６１と、ユーザーに端末装置２の操作を行わせるための操作部２６２と、を備えている。操作部２６２は、表示部２６１に表示されたソフトキーのタッチ操作を行わせるための不図示のタッチパネル装置等を備えている。
【００９３】
制御部２０は、端末装置２の各部の動作を制御する。具体的には、制御部２０は、所定の演算処理を実行する不図示のＣＰＵ、所定の制御プログラムが記憶されたＥＥＰＲＯＭ等の不図示の不揮発性メモリー、データを一時的に記憶するための不図示のＲＡＭ及びこれらの周辺回路等を備えている。
【００９４】
制御部２０は、不揮発性メモリー等に記憶された制御プログラムをＣＰＵに実行させることにより、通知確認部２１、結果取得部２２及び結果報知部２３として動作する。
【００９５】
通知確認部２１は、通知部１４によって、住宅Ｈ１の居住者の観察者が利用可能な宛先へ通知された各判定結果を表示部２６１に表示させる。
【００９６】
具体的には、制御部２０が備える不揮発性メモリーには、住宅Ｈ１の居住者の観察者が利用可能なメールアドレスや、ＳＮＳにおいて当該観察者が利用可能なホームページのＵＲＬ等、当該観察者が利用可能なネットワークサービスの識別情報が予め記憶されている。
【００９７】
通知確認部２１は、上記メールアドレス宛に送信されたメッセージの送信を要求する信号を、通信部２４によって、定期的（例えば、３０分毎）にネットワーク９に接続された所定のメールサーバーへ送信させる。
【００９８】
これに応答して、当該メールサーバーが上記メールアドレス宛に送信されたメッセージを端末装置２へ返信し、通信部２４が当該返信されたメッセージを受信する度に、通知確認部２１は、通信部２４によって受信されたメッセージを表示部２６１に表示させる。これにより、住宅Ｈ１の居住者の観察者は、上記メールアドレス宛に送信された、判定部１３による異常の判定結果を示すメッセージを確認することができる。
【００９９】
また、通知確認部２１は、操作部２６２の操作によって、ＳＮＳにおいて上記観察者が利用可能なホームページの閲覧を要求する指示が入力されると、不揮発性メモリーに記憶されている当該ホームページのＵＲＬに対応する画面データの送信を要求する信号を、通信部２４によって、ネットワーク９に接続された所定のＳＮＳサーバーへ送信させる。
【０１００】
これに応答して、当該ＳＮＳサーバーが上記ＵＲＬに対応する画面データを端末装置２へ返信し、通信部２４が当該返信された画面データを受信すると、通知確認部２１は、通信部２４によって受信された画面データを表示部２６１に表示させる。これにより、上記観察者は、上記ホームページに投稿された、判定部１３による異常の判定結果を示すメッセージを確認することができる。
【０１０１】
結果取得部２２は、第二記憶部１８に記憶されている各判定結果を取得する。具体的には、結果取得部２２は、操作部２６２の操作によって、第二記憶部１８に記憶されている各判定結果を取得する取得指示が入力されると、当該取得指示を示す信号を通信部２４によってサーバー１へ送信させる。
【０１０２】
一方、サーバー１では、通信部１６が上記取得指示を示す信号を受信すると、制御部１０は、第二記憶部１８に記憶されている各判定結果を端末装置２へ返信する。これにより、通信部２４が当該返信された各判定結果を受信すると、結果取得部２２は、通信部２４が受信した各判定結果を取得する。
【０１０３】
結果報知部２３は、結果取得部２２が取得した各判定結果を表示部２６１に表示させる（報知する）。尚、操作表示部２６に音声を出力するスピーカーを設けてもよい。これにより、結果報知部２３は、結果取得部２２が取得した各判定結果を表す音声を当該スピーカーに出力させることで、当該各判定結果を報知するようにしてもよい。
【０１０４】
以下では、サーバー１の動作について説明する。図５は、サーバー１の動作を示すフローチャートある。
【０１０５】
図５に示すように、取得部１１は、上述のようにして、住宅Ｈ１における各電気機器Ｍの使用電力量を示す電力情報を定期的に取得し、当該取得した各電力情報を第一記憶部１７に時系列に記憶する（Ｓ１）。ステップＳ１の実行後は、ステップＳ６及びステップＳ２以降の処理が行われる。
【０１０６】
ステップＳ６では、生成部１２は、上述のようにして、第一記憶部１７に記憶されている各電力情報に基づいて、住宅Ｈ１において各時間帯Ｒ１〜Ｒ５に使用され得る電気機器Ｍの組み合わせを生成する。そして、生成部１２は、当該生成した各組み合わせを、上述のようにして、当該生成のために参照した電力情報の送信元の識別情報と、各時間帯Ｒ１〜Ｒ５の識別情報と、対応付けて第三記憶部１９に記憶する（Ｓ６）。尚、生成部１２は、当該ステップＳ６を、ステップＳ２以降の処理とは別の処理として、定期的（例えば、一週間毎）に繰り返す。
【０１０７】
各時間帯Ｒ１〜Ｒ５の終了時刻になると（Ｓ２；ＹＥＳ）、判定部１３は、上述のようにして、当該時間帯において取得部１１によって取得された各電力情報に基づく住宅Ｈ１において当該時間帯に使用された電気機器Ｍの組み合わせと、ステップＳ６において生成され、第三記憶部１９に記憶された、住宅Ｈ１において当該時間帯に使用され得る電気機器Ｍの組み合わせと、の乖離の度合いに基づいて、当該時間帯における住宅Ｈ１の居住者の生活リズムが異常であったか否かを判定する（Ｓ３）。
【０１０８】
ステップＳ３において、住宅Ｈ１の居住者の生活リズムが異常であったと判定されると（Ｓ３；ＹＥＳ）、通知部１４は、上述のようにして、当該判定結果を住宅Ｈ１の居住者の観察者が利用可能な宛先へ通知する（Ｓ４）。
【０１０９】
そして、ステップＳ３において、住宅Ｈ１の居住者の生活リズムが正常であったと判定された場合（Ｓ３；ＮＯ）及びステップＳ４の実行後には、ステップＳ５が実行される。
【０１１０】
ステップＳ５では、判定部１３は、上述のようにして、ステップＳ３における判定結果を第二記憶部１８に記憶する（Ｓ５）。ステップＳ５の実行後は、ステップＳ２以降の処理が繰り返される。
【０１１１】
（１）第一実施形態の構成によれば、各時間帯Ｒ１〜Ｒ５の終了時に、当該時間帯において取得部１１が取得した電力情報に基づき、住宅Ｈ１において当該時間帯に使用された電気機器Ｍの組み合わせが把握される。
【０１１２】
また、第一記憶部１７に記憶されている各電力情報に基づいて、住宅Ｈ１において各時間帯Ｒ１〜Ｒ５に使用され得る電気機器Ｍの組み合わせが生成される。これにより、当該組み合わせから、上記居住者の生活リズムが正常である場合に、上記居住者が各時間帯Ｒ１〜Ｒ５に使用すると考えられる電気機器Ｍの組み合わせを把握することができる。
【０１１３】
このため、判定部１３は、各時間帯Ｒ１〜Ｒ５の終了時に、上記居住者が当該時間帯に実際に使用した電気機器Ｍの組み合わせと、上記居住者の生活リズムが正常である場合に上記居住者が当該時間帯に使用すると考えられる電気機器Ｍの組み合わせと、が一致し、これら二つの組み合わせに乖離がなければ、当該時間帯における上記居住者の生活リズムが正常であったことを適切に判定することができる。一方、判定部１３は、上記二つの組み合わせが一致せず、上記二つの組み合わせに何らかの乖離があれば、その乖離の度合いに基づいて、当該時間帯における上記居住者の生活リズムが異常であったことを適切に判定することができる。
【０１１４】
更に、第一実施形態の構成によれば、判定部１３によって上記居住者の生活リズムが異常であったと判定される度に、当該判定結果が当該居住者の観察者が利用可能な所定の宛先へ通知される。これにより、観察者は、上記居住者の生活リズムが異常になった時間帯の終了後、迅速に、上記居住者の生活リズムが異常になったことを把握することができる。
【０１１５】
（２）第一実施形態の構成によれば、観察者は、各時間帯Ｒ１〜Ｒ５の終了後も、第二記憶部１８に記憶されている、判定部１３による各判定結果を参照することで、過去の各時間帯Ｒ１〜Ｒ５における居住者の生活リズムの変遷を把握することができる。
【０１１６】
（３）第一実施形態の構成によれば、結果報知部２３によって第二記憶部１８に記憶されている各判定結果が表示されるので、観察者は、端末装置２を利用することで、第二記憶部１８に記憶されている各判定結果を容易に把握することができる。
【０１１７】
（第二実施形態）
以下、本発明に係る生活リズム判定装置及び生活リズム判定システムの第二実施形態について説明する。尚、第二実施形態では、生成部１２及び判定部１３の構成が第一実施形態における構成とは異なる。以下、第一実施形態で説明した内容と同内容の説明については省略し、第二実施形態における生成部１２及び判定部１３の構成について説明する。
【０１１８】
生成部１２は、第一記憶部１７に記憶されている所定の期間中に取得された各電力情報に基づいて、住宅Ｈ１において上記期間中の各時間帯Ｒ１〜Ｒ５に使用され得る電気機器Ｍの組み合わせを生成する。
【０１１９】
具体的には、生成部１２は、住宅Ｈ１の識別情報「Ｈ１」及び所定の期間に対応する日付と対応付けて第一記憶部１７に記憶されている各電力情報のみを参照し、各時刻における各電気機器Ｍの使用電力量の平均値を算出する。
【０１２０】
上記所定の期間には、平日に対応する期間及び休日に対応する期間が含まれている。更に、上記所定の期間には、春、夏、秋及び冬のうちの一以上の所定の季節に対応する期間が含まれている。ただし、これに限らず、上記所定の期間には、日付で指定された期間（例えば２０１５年１月１日から２０１５年１２月３１日までの一年間）等、その他の期間が含まれていてもよい。
【０１２１】
尚、上記所定の期間は、各時間帯Ｒ１〜Ｒ５と同様、サーバー１の管理者や住宅Ｈ１の居住者を観察する観察者等によって、パソコン等の外部装置を用いて編集された後、不揮発性メモリー等に予め記憶されている。また、ステップＳ６の実行前に、例えばタイマー回路が計時した現在日付を含む年の１月１日から１２月３１日までの一年間等のように、所定の規則に従って自動的に決定した期間を、上記所定の期間として定め、ＲＡＭ等に予め記憶するようにしてもよい。
【０１２２】
例えば、上記所定の期間が休日に対応する期間であるとする。
【０１２３】
この場合、生成部１２は、第一記憶部１７において住宅Ｈ１の識別情報「Ｈ１」及び休日の期間に対応する日付と対応付けて記憶されている各電力情報（例えば、図２では、住宅Ｈ１の識別情報「Ｈ１」及び日付「２０１５／８／１（土）」、「２０１５／８／２（日）」と対応付けて記憶されている各電力情報）のみ参照する。
【０１２４】
そして、生成部１２は、第一実施形態と同様にして、当該参照した各電力情報に基づいて、各時刻における各電気機器Ｍの使用電力量の平均値を算出する。これにより、生成部１２は、休日の期間中の各時刻における各電気機器Ｍの使用電力量の平均値を算出する。
【０１２５】
そして、生成部１２は、第一実施形態と同様にして、各時間帯Ｒ１〜Ｒ５において、使用電力量の平均値が０ではない電気機器Ｍの組み合わせを、住宅Ｈ１において休日の期間中の各時間帯Ｒ１〜Ｒ５に使用され得る電気機器Ｍの組み合わせとして生成する。
【０１２６】
また、例えば、上記所定の期間が、夏及び冬に対応する、６〜９月及び１１〜３月の期間であるとする。
【０１２７】
この場合、生成部１２は、住宅Ｈ１の識別情報「Ｈ１」及び６〜９月の四か月の期間と対応付けて第一記憶部１７に記憶されている各電力情報と、住宅Ｈ１の識別情報「Ｈ１」及び１１〜３月の五か月の期間と対応付けて第一記憶部１７に記憶されている各電力情報のみ参照する。
【０１２８】
そして、生成部１２は、第一実施形態と同様にして、当該参照した各電力情報に基づいて、各時刻における各電気機器Ｍの使用電力量の平均値を算出する。これにより、生成部１２は、夏及び冬に対応する期間中の各時刻における各電気機器Ｍの使用電力量の平均値を算出する。そして、生成部１２は、各時間帯Ｒ１〜Ｒ５において、使用電力量の平均値が０ではない電気機器Ｍの組み合わせを、住宅Ｈ１において夏及び冬に対応する期間中の各時間帯Ｒ１〜Ｒ５に使用され得る電気機器Ｍの組み合わせとして生成する。
【０１２９】
また、生成部１２は、生成した住宅Ｈ１において所定の期間中の各時間帯Ｒ１〜Ｒ５に使用され得る電気機器Ｍの組み合わせを、当該生成のために参照した各電力情報の送信元の識別情報と、所定の期間の識別情報と、各時間帯Ｒ１〜Ｒ５の識別情報と、対応付けて第三記憶部１９に記憶する。
【０１３０】
図６は、第二実施形態において第三記憶部１９に記憶された、住宅Ｈ１において所定の期間中の各時間帯Ｒ１〜Ｒ５に使用され得る電気機器Ｍの組み合わせの一例を示す図である。
【０１３１】
例えば、生成部１２が、住宅Ｈ１において平日の期間中の時間帯Ｒ２に使用され得る電気機器Ｍの組み合わせＣ２２「Ｍ１、Ｍ３」を生成したとする。この場合、生成部１２は、図６に示すように、当該生成した組み合わせＣ２２「Ｍ１、Ｍ３」を、当該組み合わせＣ２２「Ｍ１、Ｍ３」の生成時に参照した電力情報の送信元の識別情報「Ｈ１」と、平日の期間の識別情報「平日」と、時間帯Ｒ２の識別情報「Ｒ２：８：３０−９：３０」と、対応付けて第三記憶部１９に記憶する。
【０１３２】
また、例えば、生成部１２が、住宅Ｈ１において休日の期間中の時間帯Ｒ２に使用され得る電気機器Ｍの組み合わせＣ３２「なし」を生成したとする。この場合、生成部１２は、図６に示すように、当該生成した組み合わせＣ３２「なし」を、当該組み合わせＣ３２「なし」の生成時に参照した電力情報の送信元の識別情報「Ｈ１」と、休日の期間の識別情報「休日」と、時間帯Ｒ２の識別情報「Ｒ２：８：３０−９：３０」と、対応付けて第三記憶部１９に記憶する。
【０１３３】
また、例えば、生成部１２が、住宅Ｈ１において夏及び冬の期間（６〜９月、１１〜３月）中の時間帯Ｒ３に使用され得る電気機器Ｍの組み合わせＣ４３「Ｍ２、Ｍ５」を生成したとする。この場合、生成部１２は、図６に示すように、当該生成した組み合わせＣ４３「Ｍ２、Ｍ５」を、当該組み合わせＣ４３「Ｍ２、Ｍ５」の生成時に参照した電力情報の送信元の識別情報「Ｈ１」と、夏及び冬の期間の識別情報「夏・冬」と、時間帯Ｒ３の識別情報「Ｒ３：１１：３０−１３：００」と、対応付けて第三記憶部１９に記憶する。
【０１３４】
また、例えば、生成部１２が、住宅Ｈ１において春及び秋の期間（４、５、１０月）中の時間帯Ｒ３に使用され得る電気機器Ｍの組み合わせＣ５３「Ｍ２」を生成したとする。この場合、生成部１２は、図６に示すように、当該生成した組み合わせＣ５３「Ｍ２」を、当該組み合わせＣ５３「Ｍ２」の生成時に参照した電力情報の送信元の識別情報「Ｈ１」と、春及び秋の期間の識別情報「春・秋」と、時間帯Ｒ３の識別情報「Ｒ３：１１：３０−１３：００」と、対応付けて第三記憶部１９に記憶する。
【０１３５】
これに合わせて、判定部１３は、所定の期間中の各時間帯Ｒ１〜Ｒ５の終了時に、当該期間中の当該時間帯において取得部１１が取得した各電力情報に基づく住宅Ｈ１において上記期間中の当該時間帯に使用された電気機器Ｍの組み合わせと、生成部１２が生成した、住宅Ｈ１において上記期間中の当該時間帯に使用され得る電気機器Ｍの組み合わせと、の乖離の度合いに基づいて、上記期間中の当該時間帯における住宅Ｈ１の居住者の生活リズムが異常であったか否かを判定する。
【０１３６】
以下、所定の期間中の各時間帯Ｒ１〜Ｒ５の終了時に判定部１３が行う判定を代表して、平日の期間中の時間帯Ｒ１における判定について具体的に説明する。尚、第三記憶部１９には、図６に示すように、生成部１２が生成した住宅Ｈ１において平日の期間中の時間帯Ｒ１に使用され得る電気機器Ｍの組み合わせＣ２１「Ｍ２、Ｍ４」が、住宅Ｈ１の識別情報「Ｈ１」、平日の期間の識別情報「平日」及び時間帯Ｒ１の識別情報「Ｒ１：６：３０−７：３０」と対応付けて記憶されているとする。
【０１３７】
判定部１３は、平日の期間中の時間帯Ｒ１の終了時刻になると、時間帯Ｒ１において取得部１１が取得した各電力情報から、第一実施形態と同様にして、使用電力量が「０」ではない電気機器Ｍの組み合わせを取得する。これにより、生成部１２は、平日の期間中の時間帯Ｒ１において使用電力量が「０」ではない電気機器Ｍの組み合わせを取得する。
【０１３８】
そして、判定部１３は、第一実施形態と同様にして、当該取得した電気機器Ｍの組み合わせと、生成部１２が生成した住宅Ｈ１において平日の期間中の時間帯Ｒ１に使用され得る電気機器Ｍの組み合わせＣ２１「Ｍ２、Ｍ４」、つまり、第三記憶部１９において、住宅Ｈ１の識別情報「Ｈ１」、平日の期間の識別情報「平日」及び時間帯Ｒ１の識別情報「Ｒ１：６：３０−７：３０」と対応付けて記憶されている電気機器Ｍの組み合わせＣ２１「Ｍ２、Ｍ４」と、の乖離の度合いを判断する。
【０１３９】
そして、判定部１３は、第一実施形態と同様にして、当該判断した乖離の度合いに基づいて、平日の期間中の時間帯Ｒ１における住宅Ｈ１の居住者の生活リズムが異常であったか否かを判定する。そして、判定部１３は、第一実施形態と同様にして、各判定結果を第二記憶部１８に記憶する。
【０１４０】
尚、第一実施形態で説明した生成部１２の変形例と同様にして、生成部１２が、第一記憶部１７に記憶されている所定の期間中に取得された各電力情報に基づいて、各時間帯Ｒ１〜Ｒ５において、使用電力量の平均値が上記待機電力量よりも大きい電気機器Ｍの組み合わせを、住宅Ｈ１において上記期間中の各時間帯Ｒ１〜Ｒ５に使用され得る電気機器Ｍの組み合わせとして生成するようにしてもよい。
【０１４１】
これに合わせて、第一実施形態で説明した判定部１３の変形例と同様にして、判定部１３が、上記期間中の各時間帯Ｒ１〜Ｒ５の終了時に、当該時間帯において取得部１１が取得した各電力情報から、使用電力量が上記待機電力量よりも大きい電気機器Ｍの組み合わせを、住宅Ｈ１において上記期間中の当該時間帯に使用された電気機器Ｍの組み合わせとして取得するようにしてもよい。
【０１４２】
第二実施形態の構成によれば、第一記憶部１７に記憶されている所定の期間（平日の期間、休日の期間、所定の季節（夏及び冬、春及び秋）に対応する期間等）中に取得された各電力情報のみに基づいて、居住者が居住する住宅Ｈ１において当該期間中の各時間帯Ｒ１〜Ｒ５に使用され得る電気機器Ｍの組み合わせが生成される。これにより、当該組み合わせから、上記居住者の生活リズムが正常である場合に、上記居住者が当該期間中の各時間帯Ｒ１〜Ｒ５に使用すると考えられる電気機器Ｍの組み合わせを把握することができる。
【０１４３】
このため、判定部１３は、当該期間中の各時間帯Ｒ１〜Ｒ５の終了時に取得された各電力情報に基づく上記期間中の当該時間帯に使用された電気機器Ｍの組み合わせと、上記居住者が当該期間中の各時間帯Ｒ１〜Ｒ５に使用すると考えられる電気機器Ｍの組み合わせと、の乖離の度合いに基づいて、当該期間中の各時間帯Ｒ１〜Ｒ５における上記居住者の生活リズムを適切に判定することができる。
【０１４４】
また、例えば、歳を取るにつれて居住者の起床時刻や就寝時刻が徐々に早くなること等が原因で、各時間帯Ｒ１〜Ｒ５における居住者の生活リズムが徐々に変化する場合がある。その結果、数年前の各時間帯Ｒ１〜Ｒ５における居住者の生活リズムと、直近の各時間帯Ｒ１〜Ｒ５における居住者の生活リズムと、に大きな差異が生じる場合がある。
【０１４５】
このような場合、第二実施形態の構成によれば、例えば、上述のような、現在日付を含む年の１月１日から１２月３１日までの期間等の直近と考えられる期間を、上記の所定の期間として定めるようにすることで、数年前の各時間帯Ｒ１〜Ｒ５に使用されていた電気機器Ｍの組み合わせを考慮せずに、当該直近と考えられる期間中の各時間帯Ｒ１〜Ｒ５に使用され得る電気機器Ｍの組み合わせを生成部１２に生成させることができる。
【０１４６】
これにより、判定部１３は、現在日付の各時間帯Ｒ１〜Ｒ５の終了時に取得された各電力情報に基づく現在日付の当該時間帯に使用された電気機器Ｍの組み合わせと、当該現在日付を含む上記直近と考えられる期間中の各時間帯Ｒ１〜Ｒ５に使用され得る電気機器Ｍの組み合わせと、に基づいて、直近の各時間帯Ｒ１〜Ｒ５における居住者の生活リズムを適切に判定することができる。
【０１４７】
（第三実施形態）
以下、本発明に係る生活リズム判定装置及び生活リズム判定システムの第三実施形態について説明する。尚、第三実施形態では、生活リズム判定システム１００、取得部１１、生成部１２及び判定部１３の構成が第一及び第二実施形態における構成とは異なる。また、制御部１０が、図１の破線矩形部に示すように、更に、季節取得部１５として動作する点が、第一及び第二実施形態における構成とは異なる。以下、第一及び第二実施形態で説明した内容と同内容の説明については省略し、第三実施形態における生活リズム判定システム１００、季節取得部１５、取得部１１、生成部１２及び判定部１３の構成について説明する。
【０１４８】
図７は、第三実施形態における生活リズム判定システム１００の概略構成図である。図７に示すように、生活リズム判定システム１００は、ネットワーク９と、住宅Ｈ１を含む地域Ａ１に含まれる一以上の各住宅Ｈ１〜Ｈｎと、地域Ａ１とは異なる一以上の各地域Ａｎに含まれる不図示の一以上の各住宅と、サーバー１と、端末装置２と、を備えている。尚、以下では、地域Ａ１に含まれる各住宅Ｈ１〜Ｈｎ及び地域Ａ１とは異なる各地域Ａｎに含まれる各住宅は、住宅Ｈ１と同様の構成を有しているものとして説明する。
【０１４９】
サーバー１は、ネットワーク９を介して、地域Ａ１に含まれる各住宅Ｈ１〜Ｈｎ及び上記各地域Ａｎに含まれる各住宅に配置された電力センサーＰＳと通信可能に接続されている。
【０１５０】
サーバー１の制御部１０は、不揮発性メモリー等に記憶された制御プログラムをＣＰＵに実行させることにより、図１の破線矩形部に示すように、更に、季節取得部１５として動作する。
【０１５１】
季節取得部１５は、季節に関連する季節情報を取得する。季節情報には、例えば、各季節における外気温を示す情報や、「春」、「夏」、「秋」、「冬」等の各季節の識別情報等が含まれる。以下では、季節情報が、各季節における外気温を示す情報であるものとして説明する。
【０１５２】
具体的には、季節取得部１５は、地域Ａ１の季節に関連する季節情報の送信を要求する信号を、通信部１６に、ネットワーク９に接続された不図示の気象情報提供サーバーへ送信させる。これに応答して、気象情報提供サーバーが、地域Ａ１の季節に関連する季節情報をサーバー１へ返信し、通信部１６が当該返信された季節情報を受信すると、季節取得部１５は、通信部１６によって受信された季節情報を取得する。
【０１５３】
取得部１１は、住宅Ｈ１を含む地域Ａ１に含まれる各住宅Ｈ１〜Ｈｎにおける一以上の各電気機器Ｍの使用電力量を示す地域電力情報を定期的に取得して、季節取得部１５が取得した季節情報と対応付けて時系列に第一記憶部１７に記憶する。
【０１５４】
具体的には、通信部１６は、地域Ａ１に含まれる各住宅Ｈ１〜Ｈｎの電力センサーＰＳによって定期的に送信されるｎ個の電力情報を受信する。取得部１１は、通信部１６が各住宅Ｈ１〜Ｈｎからｎ個の電力情報を受信する度に、通信部１６から当該ｎ個の電力情報を地域電力情報として取得する。
【０１５５】
尚、各住宅Ｈ１〜Ｈｎの電力センサーＰＳは、各住宅Ｈ１〜Ｈｎが含まれる地域Ａ１の識別情報「Ａ１」と、当該各住宅Ｈ１〜Ｈｎの住所等の当該各住宅Ｈ１〜Ｈｎの識別情報と、を電力情報に含めて送信する。
【０１５６】
取得部１１は、地域電力情報を取得する度に、当該地域電力情報として取得したｎ個の各電力情報の何れかから、地域Ａ１の識別情報「Ａ１」を取得する。また、取得部１１は、当該ｎ個の各電力情報から、当該各電力情報の送信元の識別情報として、各住宅Ｈ１〜Ｈｎの識別情報を取得する。
【０１５７】
そして、取得部１１は、地域Ａ１の識別情報「Ａ１」と、取得した地域電力情報に含まれるｎ個の各電力情報の送信元の識別情報「Ｈ１」〜「Ｈｎ」と、当該ｎ個の各電力情報を受信した日付と、季節取得部１５が取得した季節情報と、当該ｎ個の各電力情報を受信した時刻と、当該ｎ個の各電力情報と、を対応付けて第一記憶部１７に記憶する。
【０１５８】
図８は、第一記憶部１７に記憶された地域電力情報の一例を示す図である。例えば、通信部１６が、地域Ａ１に含まれる住宅Ｈ１〜Ｈｎの電力センサーＰＳによって送信されたｎ個の電力情報を２０１５年８月１日土曜日の０時１５分に受信したとする。また、当該ｎ個の電力情報の全てが、全ての電気機器Ｍの使用電力量が「０」であったことを示す「Ｍ：０」であったとする。尚、本具体例では、説明の便宜上、ｎ個の電力情報を同時刻に受信するようにしているが、ｎ個の電力情報を受信するタイミングに数分程度のタイムラグがあってもよい。
【０１５９】
そして、取得部１１が、通信部１６が受信した当該ｎ個の電力情報を地域電力情報として取得し、当該ｎ個の各電力情報の何れかから地域Ａ１の識別情報「Ａ１」を取得し、当該ｎ個の各電力情報から、当該各電力情報の送信元の識別情報として各住宅Ｈ１〜Ｈｎの識別情報「Ｈ１」〜「Ｈｎ」を取得したとする。また、取得部１１が当該地域電力情報を取得したときに、季節取得部１５が取得した季節情報が「１０℃以上２８℃未満」であったとする。
【０１６０】
この場合、取得部１１は、図８に示すように、地域Ａ１の識別情報「Ａ１」と、取得した地域電力情報に含まれるｎ個の各電力情報の送信元の識別情報「Ｈ１」〜「Ｈｎ」と、当該ｎ個の各電力情報を受信した日付「２０１５／８／１（土）」と、季節取得部１５が取得した季節情報「１０℃以上２８℃未満」と、当該ｎ個の各電力情報を受信した時刻「０：１５」と、当該ｎ個の各電力情報「Ｍ：０」と、を対応付けて第一記憶部１７に記憶する。
【０１６１】
その後、２０１５年８月１日土曜日の１８時１５分に、取得部１１が地域電力情報を取得したとする。当該地域電力情報に含まれる、住宅Ｈ１、Ｈｎの電力センサーＰＳによって送信された二個の電力情報は、テレビＭ２の使用電力量が「Ｐ２」であることを示す「Ｍ２：Ｐ２」であったとする。
【０１６２】
また、当該地域電力情報に含まれる、住宅Ｈ１、Ｈｎとは他の各住宅Ｈ２〜Ｈｎ−１の電力センサーＰＳによって送信されたｎ−２個の電力情報は、テレビＭ２の使用電力量が「Ｐ２」であり、エアコンＭ５の使用電力量が「Ｐ５」であることを示す「Ｍ２：Ｐ２、Ｍ５：Ｐ５」であったとする。
【０１６３】
そして、取得部１１が、当該地域電力情報として取得したｎ個の各電力情報の何れかから、地域Ａ１の識別情報「Ａ１」を取得し、当該ｎ個の各電力情報から、当該各電力情報の送信元の識別情報として各住宅Ｈ１〜Ｈｎの識別情報「Ｈ１」〜「Ｈｎ」を取得したとする。また、取得部１１が当該地域電力情報を取得したときに、季節取得部１５が取得した季節情報が「２８℃以上」であったとする。
【０１６４】
この場合、取得部１１は、図８に示すように、地域Ａ１の識別情報「Ａ１」と、取得した地域電力情報に含まれる、住宅Ｈ１、Ｈｎの電力センサーＰＳによって送信された各電力情報の送信元の識別情報「Ｈ１」、「Ｈｎ」と、当該各電力情報を受信した日付「２０１５／８／１（土）」と、季節取得部１５が取得した季節情報「２８℃以上」と、当該各電力情報を受信した時刻「１８：１５」と、当該各電力情報「Ｍ２：Ｐ２」と、を対応付けて第一記憶部１７に記憶する。
【０１６５】
また、取得部１１は、図８に示すように、地域Ａ１の識別情報「Ａ１」と、取得した地域電力情報に含まれる、住宅Ｈ１、Ｈｎとは他の各住宅の電力センサーＰＳによって送信された各電力情報の送信元の識別情報「Ｈ２」〜「Ｈｎ−１」と、当該各電力情報を受信した日付「２０１５／８／１（土）」と、季節取得部１５が取得した季節情報「２８℃以上」と、当該各電力情報を受信した時刻「１８：１５」と、当該各電力情報「Ｍ２：Ｐ２、Ｍ５：Ｐ５」と、を対応付けて第一記憶部１７に記憶する。
【０１６６】
これに合わせて、生成部１２は、第一記憶部１７において同じ季節情報と対応付けられている各地域電力情報に基づいて、地域Ａ１に含まれる各住宅Ｈ１〜Ｈｎにおいて当該季節情報に関連する季節の各時間帯Ｒ１〜Ｒ５に使用され得る電気機器Ｍの組み合わせを生成する。また、生成部１２は、当該生成した組み合わせを、地域Ａ１の識別情報「Ａ１」と、当該季節情報と、各時間帯Ｒ１〜Ｒ５の識別情報と、対応付けて第三記憶部１９に記憶する。
【０１６７】
例えば、生成部１２は、第一記憶部１７において季節情報「２８℃以上」と対応付けられている各地域電力情報（例えば、図８では、第一記憶部１７において季節情報「２８℃以上」及び時刻「１８：１５」に対応付けられた各電力情報等）を参照する。
【０１６８】
そして、生成部１２は、第一実施形態と同様にして、当該参照した各地域電力情報に含まれる各電力情報に基づいて、各時刻における各電気機器Ｍの使用電力量の平均値を算出する。これにより、生成部１２は、地域Ａ１に含まれる各住宅Ｈ１〜Ｈｎにおける、季節情報「２８℃以上」に関連する季節（夏）の各時刻における各電気機器Ｍの使用電力量の平均値を算出する。
【０１６９】
そして、生成部１２は、第一実施形態と同様にして、各時間帯Ｒ１〜Ｒ５において、使用電力量の平均値が０ではない電気機器Ｍの組み合わせを、地域Ａ１に含まれる各住宅Ｈ１〜Ｈｎにおいて当該季節情報「２８℃以上」に関連する季節の各時間帯Ｒ１〜Ｒ５に使用され得る電気機器Ｍの組み合わせとして生成する。
【０１７０】
そして、生成部１２は、当該生成した組み合わせを、地域Ａ１の識別情報「Ａ１」と、当該季節情報「２８℃以上」と、各時間帯Ｒ１〜Ｒ５の識別情報と、対応付けて第三記憶部１９に記憶する。
【０１７１】
図９は、第三実施形態において第三記憶部１９に記憶された、地域Ａ１に含まれる各住宅Ｈ１〜Ｈｎにおいて季節情報に関連する季節の各時間帯Ｒ１〜Ｒ５に使用され得る電気機器Ｍの組み合わせの一例を示す図である。
【０１７２】
例えば、生成部１２が、地域Ａ１に含まれる各住宅Ｈ１〜Ｈｎにおいて季節情報「２８℃以上」に関連する季節の時間帯Ｒ４に使用され得る電気機器Ｍの組み合わせＣ６４「Ｍ２、Ｍ５」を生成したとする。この場合、生成部１２は、図９に示すように、当該生成した組み合わせＣ６４「Ｍ２、Ｍ５」を、地域Ａ１の識別情報「Ａ１」と、当該季節情報「２８℃以上」と、時間帯Ｒ４の識別情報「Ｒ４：１８：００−１９：３０」と、対応付けて第三記憶部１９に記憶する。
【０１７３】
これに合わせて、判定部１３は、各時間帯Ｒ１〜Ｒ５の終了時に、季節取得部１５に季節情報を取得させ、当該時間帯に取得部１１が取得した各地域電力情報に含まれる住宅Ｈ１における各電気機器Ｍの使用電力量に基づく、住宅Ｈ１において当該時間帯に使用された電気機器Ｍの組み合わせと、生成部１２が生成した、地域Ａ１に含まれる各住宅Ｈ１〜Ｈｎにおいて当該取得させた季節情報に関連する季節の当該時間帯に使用され得る電気機器Ｍの組み合わせと、の乖離の度合いに基づいて、当該時間帯における住宅Ｈ１の居住者の生活リズムが異常であったか否かを判定する。
【０１７４】
以下、各時間帯Ｒ１〜Ｒ５の終了時に第三実施形態の判定部１３が行う判定を代表して、時間帯Ｒ４の終了時に季節取得部１５が取得する季節情報が「２８℃以上」である場合の判定について具体的に説明する。尚、第三記憶部１９には、図９に示すように、生成部１２が生成した、地域Ａ１に含まれる各住宅Ｈ１〜Ｈｎにおいて季節情報「２８℃以上」に関連する季節の時間帯Ｒ４に使用され得る電気機器Ｍの組み合わせＣ６４「Ｍ２、Ｍ５」が、地域Ａ１の識別情報「Ａ１」、季節情報「２８℃以上」及び時間帯Ｒ４の識別情報「Ｒ４：１８：００−１９：３０」と対応付けて記憶されているとする。
【０１７５】
判定部１３は、時間帯Ｒ４の終了時刻になると、季節取得部１５に季節情報「２８℃以上」を取得させる。そして、判定部１３は、時間帯Ｒ４において取得部１１が取得した各地域電力情報に含まれる、住宅Ｈ１の電力センサーＰＳによって送信された各電力情報から、第一実施形態と同様にして、使用電力量が「０」ではない電気機器Ｍの組み合わせを取得する。これにより、生成部１２は、住宅Ｈ１における季節情報「２８℃以上」に関連する季節の時間帯Ｒ４において、使用電力量が「０」ではない電気機器Ｍの組み合わせを取得する。
【０１７６】
そして、判定部１３は、第一実施形態と同様にして、当該取得した電気機器Ｍの組み合わせと、生成部１２が生成した、地域Ａ１に含まれる各住宅Ｈ１〜Ｈｎにおいて季節情報「２８℃以上」に関連する季節の時間帯Ｒ４に使用され得る電気機器Ｍの組み合わせＣ６４「Ｍ２、Ｍ５」、つまり、第三記憶部１９において、地域Ａ１の識別情報「Ａ１」、季節情報「２８℃以上」及び時間帯Ｒ４の識別情報「Ｒ４：１８：００−１９：３０」と対応付けて記憶されている電気機器Ｍの組み合わせＣ６４「Ｍ２、Ｍ５」と、の乖離の度合いを判断する。
【０１７７】
そして、判定部１３は、第一実施形態と同様にして、当該判断した乖離の度合いに基づいて、時間帯Ｒ４における住宅Ｈ１の居住者の生活リズムが異常であったか否かを判定する。そして、判定部１３は、第一実施形態と同様にして、各判定結果を第二記憶部１８に記憶する。
【０１７８】
尚、第一及び第二実施形態で説明した生成部１２の変形例と同様にして、生成部１２が、第一記憶部１７において同じ季節情報と対応付けられている各地域電力情報に基づいて、各時間帯Ｒ１〜Ｒ５において、使用電力量の平均値が上記待機電力量よりも大きい電気機器Ｍの組み合わせを、地域Ａ１に含まれる各住宅Ｈ１〜Ｈｎにおいて当該季節情報に関連する季節の各時間帯Ｒ１〜Ｒ５に使用され得る電気機器Ｍの組み合わせとして生成するようにしてもよい。
【０１７９】
これに合わせて、第一及び第二実施形態で説明した判定部１３の変形例と同様にして、判定部１３が、各時間帯Ｒ１〜Ｒ５の終了時に、季節取得部１５に季節情報を取得させ、当該時間帯に取得部１１が取得した各地域電力情報に含まれる、住宅Ｈ１における各電気機器Ｍの使用電力量から、使用電力量が上記待機電力量よりも大きい電気機器Ｍの組み合わせを、住宅Ｈ１において当該時間帯に使用された電気機器Ｍの組み合わせとして取得するようにしてもよい。
【０１８０】
以下、第三実施形態の構成により奏する効果について説明する。
【０１８１】
居住者が居住する住宅Ｈ１から取得した電力情報の数が少なければ、生成部１２によって、住宅Ｈ１から取得した各電力情報に基づいて、住宅Ｈ１において各時間帯Ｒ１〜Ｒ５に使用され得る電気機器Ｍの組み合わせが精度良く生成されない場合がある。
【０１８２】
しかし、第三実施形態の構成によれば、このような場合に、第一記憶部１７において同じ季節情報と対応付けられている各地域電力情報に基づいて、住宅Ｈ１を含む地域Ａ１に含まれる各住宅Ｈ１〜Ｈｎにおいて、当該季節情報に関連する季節の各時間帯Ｒ１〜Ｒ５に使用され得る電気機器Ｍの組み合わせを生成することができる。
【０１８３】
地域Ａ１に含まれる各住宅Ｈ１〜Ｈｎには住宅Ｈｎが含まれているので、当該生成された組み合わせは、住宅Ｈ１において当該季節情報に関連する季節の各時間帯Ｒ１〜Ｒ５に使用され得る電気機器Ｍの組み合わせを示しているといえる。
【０１８４】
このため、判定部１３は、上記のように住宅Ｈ１から取得した電力情報の数が少ない場合であっても、各時間帯Ｒ１〜Ｒ５の終了時に、季節取得部１５に季節情報を取得させ、当該時間帯の終了時に取得された各地域電力情報に含まれる住宅Ｈ１における各電気機器Ｍの使用電力量に基づく、住宅Ｈ１において当該時間帯に使用された電気機器Ｍの組み合わせと、住宅Ｈ１において当該取得させた季節情報に関連する季節の各時間帯Ｒ１〜Ｒ５に使用され得る電気機器Ｍの組み合わせと、の乖離の度合いに基づいて、当該季節の各時間帯Ｒ１〜Ｒ５における住宅Ｈ１の居住者の生活リズムを適切に判定することができる。
【０１８５】
(変形実施形態）
尚、上記第一乃至第三実施形態は、本発明に係る実施形態の例示に過ぎず、本発明を上記第一乃至第三実施形態に限定する趣旨ではない。例えば、以下に示す変形実施形態であってもよい。
【０１８６】
（１）サーバー１に、端末装置２の操作表示部２６と同様の操作表示部を設けるようにしてもよい。そして、当該操作表示部に含まれる操作部の操作によって、各時間帯Ｒ１〜Ｒ５及び判定部１３が上記乖離の度合いの判断に用いる上記所定数を編集し、当該編集後の各時間帯及び上記所定数を、制御部１０が備える不揮発性メモリー等に記憶するようにしてもよい。
【０１８７】
（２）サーバー１に、第二記憶部１８を備えないようにし、ステップＳ５を省略するようにしてもよい。これに合わせて、端末装置２の制御部２０が結果取得部２２及び結果報知部２３として動作しないようにしてもよい。
【０１８８】
（３）居住者によって使用中の電気機器Ｍに供給される電力量と、居住者によって使用されていない電気機器Ｍに供給される電力量と、を判別する基準になる電力量を閾値電力量として予め定め、制御部１０が備える不揮発性メモリー等に記憶してもよい。つまり、上記閾値電力量よりも大きい電力量が供給されている電気機器Ｍは、居住者によって使用中であり、上記閾値電力量以下の電力量が供給されている電気機器Ｍは、居住者によって使用されていないと判別することができる。これに合わせて、上記第一乃至第三実施形態で説明した変形例の生成部１２及び判定部１３が、上記待機電力量に代えて、上記閾値電力量を用いるようにしてもよい。
【符号の説明】
【０１８９】
１  サーバー（生活リズム判定装置）
２  端末装置
１１  取得部
１２  生成部
１３  判定部
１４  通知部
１５  季節取得部
１７  第一記憶部
１８  第二記憶部
２１  通知確認部
２２  結果取得部
２３  結果報知部
１００  生活リズム判定システム
Ａ１  地域
Ｈ１  住宅
Ｍ  電気機器
Ｍ１  洗濯機（電気機器）
Ｍ２  テレビ（電気機器）
Ｍ３  掃除機（電気機器）
Ｍ４  炊飯器（電気機器）
Ｍ５  エアコン（電気機器）
Ｒ１〜Ｒ５  時間帯
【図１】
0006602169.tif 000002
【図２】
0006602169.tif 000003
【図３】
0006602169.tif 000004
【図４】
0006602169.tif 000005
【図５】
0006602169.tif 000006
【図６】
0006602169.tif 000007
【図７】
0006602169.tif 000008
【図８】
0006602169.tif 000009
【図９】
0006602169.tif 000010